Podtech/llm-jp-corpus-v4-ja_patent huggingface dataset:
(57)【要約】【課題】人が水洗トイレで排泄を行う際に必然的に起こる水はね、臭い、排泄時の音等を抑える泡の層を便器内のため水の水面上に作りだす製品を提供する。【解決手段】本発明は、排泄者が排泄前に便器内のため水に本発明品を投入するものである。本発明品は、アルカリ性の重曹等と酸性のクエン酸等を混ぜたものに水を加えると化学反応を起こし炭酸ガスを出すという性質を利用し、トイレ便器内のため水の水面上に泡の層を作るものであり、排泄時の水はね等を防止することを特徴とする。【特許請求の範囲】
【請求項１】
アルカリ性の重曹等と酸性のクエン酸等を混ぜたものに水を加えると炭酸ガスが出るという化学反応を利用して泡を作る、トイレ排泄時の水はね防止、防臭、防音洗浄等を目的とする泡発生組成物。
【請求項２】
請求項１の組成物によってできた泡がすぐに消えぬよう持続させるために界面活性剤等を請求項１の組成物に混ぜた、トイレ排泄時の水はね防止、防臭、防音洗浄等を目的とする泡発生組成物。
【請求項３】
請求項１及び請求項２の組成物を排泄前に便器内のため水に投入しやすいよう携帯可能で直接手に触れやすいように、水溶紙等でコーティングすることを特徴とする、トイレ排泄時の水はね防止、防臭、防音、洗浄等を目的とする泡発生組成物。
【発明の詳細な説明】
【技術分野】
【０００１】この発明は、トイレ排泄時前に、便器内のため水に本発明品を投入して泡の層を作りだし、排泄時における水はね防止、消臭、防音、トイレ室内の汚れ抑制に関する発明である。
【背景技術】
【０００２】従来、人がトイレで排泄を行うには、便器のため水に向けて排泄を行う形になっていた。
【発明の概要】
【発明が解決しようとする課題】
【０００３】これは次のような欠点があった。
（イ）便器のため水に排泄物を落下させるため、水はねが必然的に起こり、便器外に飛び      散り、身体、衣服、床、壁などに付着し不衛生であった。
（ロ）男性が洋式便器に立って行う一回の放尿時には、目に見えない微量の水滴も含めて      平均約２０００滴もの水滴が便器外に飛び散っているといわれている。また、それ      が和式便器では身体とため水の水面との距離が洋式便器よりも遠くなるものがほと      んどのため、さらに多くの水はねが起こっている。
（ハ）女性が洋式または和式便器で排泄を行う際にも、臀部、性器などの身体と便器のた      め水との距離が近いため、ため水の水はねを受けやすく、汚れ、感染症引き起こす      おそれもあった。
（二）また、ため水に向けて排泄を行うため、排泄物の着水音、臭いが無防備に発生し、      羞恥心を起こさせていた。
本発明は以上のような欠点なくすためになされたものである。
【課題を解決するための手段】
【０００４】排泄直前に、携帯可能でおよそ飴玉サイズの本発明品を便器のため水に投入する。本発明品は水に触れると化学反応を起こし、泡を発生させるものである。水面から上に約１〜１０ｃｍのほどの泡の層をため水の水面上に作る。人はその泡の層に向けて排泄を行う。
【発明の効果】
【０００５】便器のため水の水面上に、厚さ約１〜１０ｃｍほどの泡の層を張るため、排泄物の着水時のはね返り水が、泡の層によって便器外への飛び散りを防ぐことができる。
よって、汚水の飛沫が防止されるため、身体、衣服、床、壁等への汚れが防げ、衛生的になる。便器、トイレ室内の掃除の頻度も減る。また排泄物の着水音を泡の層によって抑えることができる。
【発明を実施するための形態】
【０００６】以下、本発明を実施するための形態について説明する。
（イ）アルカリ性の重曹等と酸性のクエン酸等を混ぜたものに水を加えると化学反応を起      こし炭酸ガスを出すという性質を利用し、トイレ便器内のため水の水面上に泡の層      を作る。
（ロ）その泡をすぐに消えないように、界面活性剤、耐粘性剤等を本発明品に含有させる      ことで、発生した泡を持続可能にし、一つひとつの気泡を強化する。
（ハ）防臭剤、洗浄剤なども含有させて、におい、よごれを抑える。
（二）消毒液や石鹸などで利用されるカチオン性界面活性剤や両性界面活性剤を本発明品      に含有させることにより、細菌を吸着し洗い流す効果も有する。
本発明は以上のような構造である。
これを使用するときは、本発明品を排泄時前に直接便器内のため水に一度投入するだけでよい。本発明品は、水に触れると自動的に化学反応を起こし、泡の層が形成される。
(57)【要約】【課題】一か所のサッシ窓の状態を確認するために、サッシ窓の開閉用に２個、サッシ窓の施錠確認に１個と合計３個のセンサーを必要とする。【解決手段】本発明を使用してサッシ窓の中央１か所で、サッシ窓の開閉、施錠、開錠を確認できるようにした。【選択図】図１
2015214801.tif 000002
【特許請求の範囲】
【請求項１】
静電容量変化を応用したサッシ窓一か所で行う、開閉、及びクレセントロックの施錠、開錠検出センサー。
【発明の詳細な説明】
【技術分野】
【０００１】
この発明は静電容量の変化を応用したサッシ窓の開閉確認、クレセント錠の施錠確認に関するものである。
【背景技術】
【０００２】
従来、サッシ窓の開閉検出、クレセント錠の施錠、開錠の検出は、マグネットを用いて、リードスイッチで検出していた。
【先行技術文献】
【特許文献】
【０００３】
【特許文献１】公開 2008-255650 (2008/10/23)
【非特許文献】
【０００４】
【非特許文献１】公開 2009-264005 (2009/11/12)
【発明の概要】
【発明が解決しようとする課題】
【０００５】
しかし、上記例では、サッシ窓の開閉検出においては、左右両方の窓に、マグネット、リードスイッチなどの検出機構が必要なのと、クレセント錠の施錠、開錠においてもクレセント錠の近傍に同様の検出機構が必要であり、特にクレセント錠の施錠、開錠においてはサッシ窓枠に取り付けるために、美観もそこねる。
【課題を解決するための手段】
【０００６】
本発明は、サッシ窓の開閉、およびクレセント錠の施錠、開錠を、サッシ窓とサッシ窓枠の静電容量変化を検出することにより、左右のサッシ窓の中央部分の上部一か所にて、左右のサッシ窓の開閉、クレセント錠の施錠、開錠の検出を行う。
【発明の効果】
【０００７】
本発明によりクレセント錠の施錠、開錠のための検出機構をクレセント錠の近傍に設置する必要はなくなるので、違和感なくザッシ窓開閉がスムースにでき、従来３か所必要だった検出部が一か所となるために設備費が大幅に軽減する。またサッシ窓枠にクレセント錠、の施錠、開錠用の検出機構がなくなるので、美観も損ねることがない。
【図面の簡単な説明】
【０００８】
【図１】本発明、静電容量変化サッシ窓センサーの動作説明である。
【図２】本発明、静電容量変化サッシ窓センサーの設置説明である。
【発明を実施するための形態】
【０００９】
サッシ窓の開閉、クレセント錠の施錠、開錠の検出を、従来開閉検出で２箇所、施開錠で１箇所の計３か所必要であったが、中央の上部１箇所での検出を可能にする。
【実施例】
【００１０】
図１は、本発明装置で、サッシ窓の開閉とクレセント錠に施錠、開錠検出するための動作説明図である。空気などの絶縁体を挟むように、導電体A,と導電体Ｂに電圧を加えると静電容量Ｃを形成します。静電容量Ｃの値は、導電体の面積Ｓと、導電体どうしの距離ｄ、及び絶縁体の誘電率εにより決定される。サッシはアルマイト加工が施してあり金属部は絶縁状態となっており、本発明の場合導電体Ａは、４のサッシ窓右とし、導電体Ｂは、６のサッシ窓枠とし、絶縁体εは空気とした場合、サッシ窓を閉じてクレセント錠を施錠した場合を基準の静電容量とした時、クレセント錠を開錠すると、クレセント錠を施錠した時より結合面積が減ることになり、静電容量Ｃは減少します。又サッシ窓右、またはサッシ窓左を開けた場合には、クレセント錠を開錠した場合よりさらに結合面積が減少して、静電容量Ｃはますます減少します。以上の静電容量変化を検出して、クレセント錠の施錠、開錠、サッシ窓の開閉信号として外部に出力します。出力回路の構成により、接点信号として、通信用のシリアル信号として、また無線によりはなれた場所への通報など容易に防犯設備の構築ができる。
【００１１】
図２は本発明の設置説明で、制御部本体はサッシ窓に取付ける必要がない。サッシ窓はアルマイト加工が施してあり電気的には絶縁されている。そのため、可動する４のサッシ窓側には、３の接触子を使用して接続する。３の接触子は４のサッシ窓と電気的に接触させるように導電体を使用してネジ止めする。また、３の接触子と、接触させる制御部側の２の接触子は、２の接触子がスプリングなどを使用して適度に接触させる。又、６のサッシ枠側への接続は適当な位置のネジ止めなどで行う。
【産業上の利用可能性】
【００１２】
従来必要不可欠だったサッシ窓左右の開閉センサー、クレセント錠の施開錠用のセンサーが不要となるために、設備コストの低減と共に、室内の美観を損ねずに監視を行なえる。
【符号の説明】
【００１３】
１.制御部
２.制御部側接触子
３.サッシ側接触子
４.サッシ窓右
５.サッシ窓左
６.サッシ枠
【図１】
2015214801.tif 000003
【図２】
2015214801.tif 000004
(57)【要約】      （修正有）【課題】ベランダ等使用される引き戸を開閉する際に網戸等に当たらないで、引き戸の中枠やガラス面にとりつけることができる取っ手を提供する。【解決手段】引き戸用取っ手１の取付部３に貼着テープ３ｂを設け、中枠やガラス面に取り付ける。取付部３の保持部３ａに支持片２ａを折り曲げ自在に取り付けてなる。【選択図】図１
2015214882.tif 000002
【特許請求の範囲】
【請求項１】
引き戸の中枠やガラス面に取り付けるもので、取付部に、揺動自在あるいは折り曲げ自在な取っ手を設けてなることを特徴とする引き戸用取っ手。
【請求項２】
前記取付部は、平板の下部をカール状に形成してなり、裏面及び／または表面に粘着テープを設けてなることを特徴とする請求項１記載の引き戸用取っ手。
【請求項３】
前記取付部と前記取っ手を折曲片により一体に形成し、前取付部の裏面及び／または表面に粘着テープを設けてなることを特徴とする請求項１の引き戸用取っ手。
【請求項４】
前記取付部を引き戸の中枠に取り付け、取っ手を前記中枠の下部内側に位置させることを特徴とする請求項１又は２記載の引き戸用取っ手。
【発明の詳細な説明】
【技術分野】
【０００１】  本発明は、ベランダ等の建具の引き戸に取り付けるベランダ引き戸用取っ手に関するものである。
【背景技術】
【０００２】  従来品の技術としては、引き戸の戸板の引き手用凹所に着脱可能に取り付けられる取っ手部品であって、握り部と、該握り部よりも戸板の開き方向に突出し、握り部を握った手を保護する保護用突出部とが備えられていることを特徴とする引き戸用の取っ手部品がある。（特許文献１参照）【０００３】  また、他の従来技術として、ケーシングの前面に施された窓の周辺に係止縁を形成し、ケーシングに後退可能に収納されたカバーの背面を弾性押し圧部材により弾発してその周縁を上記係止縁に弾接させる。使用時にカバーを押すと押した部分が内方に凹み、係止縁に指を掛けて襖や引戸を開閉できるものがある。（特許文献２参照）
【先行技術文献】
【特許文献】
【０００４】
【特許文献１】  特開２００６−２３３４９７号公報
【特許文献２】  特開２００６−３２８７９６号公報
【発明の概要】
【発明が解決しようとする課題】
【０００５】  上記前者においては、取っ手部品の取り付けが、その構造上引き戸の外側に突出するため開閉時網戸等に当たってしまう問題点がある。【０００６】  また、上記後者においては、ベランダ等の建具の引き戸には取り付けられない形態である。【０００７】  本発明は、このような従来の構成が有していた問題を解決しようとするもので、ベランダ等の建具の引き戸の中枠の下面内側に取っ手を収納することができると共に、ガラス面に貼り付けて使用でき、開閉時に網戸等に当たることなく動作できる引き戸用取っ手を提供することを目的とする。
【課題を解決するための手段】
【０００８】  本発明は、上記目的を達成するため、引き戸の中枠やガラス面に取り付けるもので、取付部に、振動自在あるいは折り曲げ自在な取っ手を設けてなること。前記取付部は、平板の下部をカール状に形成してなり、また、取付部と取っ手を一体に形成してなり、裏面及び／または表面に粘着テープを設けてなること。前記取付板を引き戸の中枠に取り付け、取っ手を前記中枠の下部内側に位置させることを特徴とするものである。
【発明の効果】
【０００９】１）、取付部と取っ手の構造により、シンプルでありながら確実にベランダ等の引き戸に着脱自在に取り付けることができる。
２）、ベランダ等の引き戸の中枠に取付板を取り付け、中枠の下部内側に取っ手を位置させることにより、邪魔にならず、開閉において、網戸等に当たることなく収納（移動）できる。
３）、取付部と取っ手を一体に折り曲げ自在に設けることにより、ガラス面にも邪魔にならず取り付けられる。
４）、取付板の裏面及び／または表面に粘着テープを設けることにより、引き戸の中枠やガラス面等必要に応じて取り付けることができる。
【図面の簡単な説明】
【００１０】
【図１】  本発明の第１実施例を示す引き戸用取っ手の正面図。
【図２】  本発明の第１実施例を示す引き戸用取っ手の側面図。
【図３】  本発明の第１実施例を示す引き戸用取っ手の使用状態図。
【図４】  本発明の第１実施例を示す引き戸用取っ手の使用状態図。
【図５】  本発明の第２実施例を示す引き戸用取っ手の正面図。
【図６】  本発明の第２実施例を示す引き戸用取っ手の側面図。
【図７】  本発明の第２実施例を示す引き戸用取っ手の使用状態図。
【発明を実施するための形態】
【００１１】  １は、引き戸用取っ手である。
２は、取っ手で、丸棒を略Ｕ字形に形成し、両側上端を内側に折曲し、支持片２ａ・２ａを水平方向に突設してある。
３は、取付部で、平板の下部をカール状に形成した前記取っ手２支持片の２ａ・２ａを保持する保持部３ａを設けると共に、裏面に貼着テープ３ｂを設けてある。（図１・図２）
【００１２】  つぎに、引き戸用取っ手１の使用例について説明する。
例えば、ベランダに使用される引き戸Ｈに取り付けるもので、中枠Ｎの右端前面に、取付板３を貼着テープ３ｂにて固着する。
この状態で、取っ手２に指（図示せず）を入れ、上方に持ち上げ、左右に引き戸Ｈ  を移動できるものであり、網戸ＡＭ等に当たることなく移動できる。（図３・図４）
【００１３】  引き戸用取っ手２１は、合成樹脂性等により、平板状の取付部２３の下部に空間部２３ａを設けると共に、両側に折曲片２３ｂを形設し、口の字形の取っ手２２を一体に形成してなるものであり、取付部２３の表面及び／または裏面に貼着テープ２３ｃを設けてある。（図５・図６）
【００１４】  この引き戸用取っ手２１は、主にガラス面Ｇに貼り付けて使用するもので折曲片２３ｂを折り曲げて取っ手２２を引き出して使用するものである。（図７）
【産業上の利用の可能性】
【００１５】  なお、引き戸用取っ手はユニバーサルデザインとして考えており、他の建具の開き戸やスライドドア等に取り付け、手が不自由な方にも指を引っ掛けて開閉できるものであり、いろいろな産業（製品）に利用できるものである。
【００１６】  なお、前記実施例において、大きさや材質は必要に応じて決めればよく、取っ手の形状等も、特に限定しない。
また、裏面に粘着テープを設けるのみならず、表面にも粘着テープを設けることにより、例えば、建具の引き戸の中枠やガラス面に粘着テープを貼り付けて使用できるものである。
【符号の説明】
【００１５】１―――引き戸用取っ手
２―――取っ手
３―――取付板
Ｈ―――引き戸
Ｎ―――中枠
Ｇ―――ガラス面
【図１】
2015214882.tif 000003
【図２】
2015214882.tif 000004
【図３】
2015214882.tif 000005
【図４】
2015214882.tif 000006
【図５】
2015214882.tif 000007
【図６】
2015214882.tif 000008
【図７】
2015214882.tif 000009
(57)【要約】      （修正有）【課題】従来は、液状のりをつけたら、乾かす又はのばすしかなかったのを以上の問題点を解決するものであることを提供する。【解決手段】封筒２や紙に液状のり３をつけたら、ドライヤー１で乾かす液状のり乾かしドライヤーであり、封筒に液状のりをつけたら、素早く乾かすことができ、ドライヤーも液状のりも市販品であり、ドライヤーの温風がでる部分と、液状のりの距離は５センチである液状のり乾かしドライヤー。【選択図】図１
2015214699.tif 000002
【特許請求の範囲】
【請求項１】
封筒や紙に液状のりをつけたら、ドライヤーで乾かす、液状のり乾かしドライヤー。
【発明の詳細な説明】
【技術分野】
【０００１】  本発明は、液状のりを乾かすドライヤーに関するものである。
【背景技術】
【０００２】  従来は、液状のりを乾かすものが無かった。
【先行技術文献】
【特許文献】
【０００３】
【発明の概要】
【発明が解決しようとする課題】
【０００４】  従来は、液状のりをつけたら、乾かす又はのばすしかなかったのを本発明は以上の問題点を解決するものである。
【課題を解決するための手段】
【０００５】  封筒や紙に液状のりをつけたら、ドライヤーで乾かす。
【発明の効果】
【０００６】  封筒や紙に液状のりをつけたら、ドライヤーで乾かす。
すると、液状のりを素早く乾かすことができた。
【図面の簡単な説明】
【０００７】
【図１】本発明の斜視図
【発明を実施するための形態】
【０００８】以下、本発明の実施の形態を説明する。
（イ）ドライヤーはスイッチを入れて使う。
（ロ）封筒や紙に液状のりをつけたら、ドライヤーで乾かす。
（ハ）封筒に液状のりをつけたら、素早く乾かすことができて、便利である。
（ニ）ドライヤーも液状のりも市販のものである。
（ホ）乾かす時に、ドライヤは手で持つ。
（ヘ）液状のりは、封筒や紙につけたものである。本発明の場合。
（ト）ドライヤーの温風がでる部分と、液状のりの距離は５センチである。
【符号の説明】
【０００９】１  ドライヤー、２  封筒、３  液状のり
【図１】
2015214699.tif 000003
(57)【要約】【課題】従来の垂直軸風車において、ブレード回転力を増す方法として、ブレード回転に負の力が働く側に風量調節ガイドを設けて、ブレードへの直接抵抗を減らし回転力を増す方法等の申請があるが、ブレードの外に設け風がブレードに当たるのを防ぐ役目のため、風方向への均衡を保つのが難しく、安定性に欠ける。【解決手段】中心軸の受台と頭部固定用架台を有し、上下を転がり軸受とした中心軸に、中心に向かって角度を付けた半楕円ブレードを上下のアームで複数固定し、そのブレードの内側に、中心軸を共有して、上下に転がり軸受を取り付けたブレード回転補助体を取り付けて、風方向に作用するようにした。そのブレード回転補助体の、等間隔に設けた吹出し口より吹出した風により、ブレードに揚力と抗力が交互に発生し、ブレードの回転力を増すようにした垂直軸風車である。【選択図】図１
2015214961.tif 000002
【特許請求の範囲】
【請求項１】
中心軸の受台と頭部固定用架台を有し、上下を転がり軸受とした中心軸に、中心に向かって角度を付けた半楕円ブレードを上下のアームで複数固定し、そのブレードの内側に、中心軸を共有して、上下に転がり軸受を取り付けたブレード回転補助体を取り付けて、風方向に作用するようにした。そのブレード回転補助体の、等間隔に設けた吹き出し口より吹き出した風により、ブレードに揚力と抗力が交互に発生しブレードの回転力を増すようにした垂直軸風車である。
【請求項２】
ブレードを固定するアームの断面を半円柱形にし、アーム全体の左半分と右半分の抗力の差を発生させ、ブレード回転力がさらに増すようにした請求項１記載の垂直軸風車である。
【請求項３】
ブレードの断面形状を半円柱形にした請求項１、請求項２記載の垂直軸風車である。
【発明の詳細な説明】
【技術分野】
【０００１】本発明は、ブレードの内側に、ブレード回転補助体を取り付け、風方向に作用するようにし、その吹出し口からの風により、ブレードの回転力をさらに増すようにした垂直軸風車に属する。
【背景技術】
【０００２】従来の垂直軸風車において、ブレード回転力を増す方法として、ブレードに負の力が働く側に、風量調整ガイド等を設けて、ブレードへの直接抵抗を減らして回転力を増す方法等の申請が多い。
【先行技術文献】
【０００３】
【特許文献１】  特許公開２００９−２９３６１０
【特許文献２】  特許公開２０１１−１７２９３
【特許文献３】  特許公開２０１３−４４３２３
【発明の開示】
【発明が解決しようとする課題】
【０００４】以上に述べた垂直軸風車のブレード回転力を増す方法は、ブレードの外側に設けて風がブレードにあたるのを防ぐ役目のため、風方向への均衡を保つのが難しく、安定性に欠ける。またブレード間隔が接近すると風上側のブレードによる気流のみだれが風下側のブレードに影響し、揚力と抗力がみだれる。【０００５】本発明は、このような従来の構成が有していた問題を解決しようとするものであり、風方向への安定性と、ブレードの回転力をさらに増す垂直軸風車を実現することを目的とするものである。
【課題を解決するための手段】
【０００６】そして、本発明は、上記目的を達成するために、中心軸の受台と頭部固定用架台を有し、上下を転がり軸受とした中心軸に向かって、角度を付けた半楕円柱形ブレードを上下のアームで複数固定し、その内側に中心軸を共有して上下に転がり軸受を付けたブレード回転補助体を取り付けて、風方向に作用するようにした。【０００７】そのブレード回転補助体の、等間隔に設けた吹出し口より吹出した風がブレードに作用し、揚力と抗力が発生することによりブレードの回転力を増すようにした。【０００８】また、ブレードを固定するアームの断面を半円形状にし、アーム全体の左半分と右半分の抗力の差を発生させ、ブレード回転力をさらに増すようにした。【０００９】前記半楕円柱形ブレードを半円柱形ブレードに形状変更しても前記効果は発揮する。
【発明の効果】
【００１０】ブレード回転補助体は半円形状であり、風を受けると吹出し側が抵抗体となり風下に、中心軸側が風上となり、風方向に対して、安定性のあるブレード回転補助体となる。【００１１】さらに吹出し側の中央部に方向舵を付けることで、風方向に対してより安定性を増す。【００１２】ブレード回転補助体の吹出し口総面積を、風上側取込口総面積より少なくすれば、吹出し口からの風速は速くなり、ブレードにかかる揚力と抗力はさらに増し、回転力は大きくなる。【００１３】ブレード回転補助体の左右外周は曲面のため、風速は速くなり、ブレードにかかる揚力と抗力は大きくなる。【００１４】そして、ブレードの中心軸に対しての角度は、３０度でも６０度でもブレードは回転するが、４５度ぐらいが揚力と抗力のバランスが良い。
【図面の簡単な説明】
【００１５】
【図１】  本発明の実施形態を示すＡ−Ａ線平断面図
【図２】  抗力を受けるブレード位置図
【図３】  抗力と揚力を受けるブレード位置図
【図４】  本発明の実施形態を示すＢ−Ｂ線縦断面図
【発明を実施するための形態】
【００１６】以下、本発明の実施の形態を図１〜図４に基づいて説明する。
【００１７】図において１は垂直軸風車のブレードで、中心軸２に固着した上下のアーム３の先端に、半楕円形のブレード１を、中心軸に向かって一定角度を付けて上下で固定する。
【００１８】中心軸２は、上下に転がり軸受４を装備し、中心軸受台８、頭部固定用架台９部に支持固定する。
【００１９】各複数のブレード１間を、ブレードつなぎ材５で連続につなぐことにより、頑丈に固定できる。
【００２０】ブレード回転補助体６はドラム缶を縦に半割にした形状で、ブレード１と同じ中心軸２を共有し、ブレード回転構成部の内側に上下の転がり軸受７で装着し、風下側となる吹出し口と方向舵８を装備している。
【００２１】転がり軸受４と転がり軸受７は、中心軸に対して、平行方向と直角方向の荷重がかかるため、耐久性を考えると平行方向にはスラスト軸受、直角方向には、ころ軸受の組合せ転がり軸受が望ましい。
【００２２】中心軸２近傍に発電機１０を設置し、中心軸２とベルト１１でつなげば風力発電装置となる。
【００２３】以下、上記構成の動作を説明する。ブレード回転補助体６は、ドラム缶を縦に半割にした形状であり、風を受けると吹出し側が抵抗体となり風下に、中心軸側が風上となり、風方向に対して安定して作用する。そして、吹出し側の中央部に方向舵８を付けることで、さらに安定性を増す。
【００２４】一定角度を付けたブレード１は、ブレード回転補助体６の外周を回るため、吹出し部周辺では図２、図３のように風が吹出すことにより、抗力と揚力がブレード１に発生して回転力を増し、吹出し口のない外周部は、面が円形状であるため、その面の風速は速くなり、ブレード１にかかる回転力はさらに増す
【符号の説明】
【００２５】１    ブレード
２    中心軸
３    アーム
４    中心軸の転がり軸受
５    ブレードつなぎ材
６    ブレード回転補助体
７    ブレード回転補助体の転がり軸受
８    中心軸受台
９    頭部固定用架台
１０  発電機
１１  ベルト
【図１】
2015214961.tif 000003
【図２】
2015214961.tif 000004
【図３】
2015214961.tif 000005
【図４】
2015214961.tif 000006
(57)【要約】【課題】  本発明は、タオルを首に掛けたり、帽子、マスクにして使用するとき、風や体の動きによって、タオルがずれたり、落ちたりしないように、タオルにゴム紐を取り付けタオルが帽子、フードになるゴム紐付き帽子タオルを提供する。【解決手段】  タオルを２枚合わせにして、長手方向１ヵ所は全開し反対側の長手方向は中心に顔が出る大きさを開けて残りと短手方向２ヵ所は閉じ、顔が出る長手方向にゴム紐挿入部を設け、ゴム紐を挿入してゴム紐が抜けないように両端部にクリップを設けたゴム紐付き帽子タオル。【選択図】図１
2015214780.tif 000002
【特許請求の範囲】
【請求項１】
タオルを２枚合わせにして、長手方向１ヵ所は全開し反対側の長手方向は中心に顔が出る大きさを開けて残りと短手方向２ヵ所は閉じ、顔が出る長手方向にゴム紐挿入部を設け、ゴム紐を挿入してゴム紐が抜けないように両端部にクリップを設けたゴム紐付き帽子タオル。
【発明の詳細な説明】
【技術分野】
【０００１】  本発明は、タオルを首に掛けたり、帽子、マスクにして使用するとき、風や体の動きによって、タオルがずれたり、落ちたりしないように、タオルにゴム紐を取り付けタオルが帽子、フードになるゴム紐付き帽子タオルに関するものである。
【背景技術】
【０００２】  従来のタオルは、首に掛けて汗を拭いたり、日除けに帽子、ホコリの防護にマスクにして使用していた。
また、紐を使って縛るものがあった。
また、結び紐が延出しているものがあった。
【先行技術文献】
【特許文献】
【０００３】
【特許文献１】  特開２０１１−１１５５１４号公報
【特許文献２】  特開２００３−２４２３８号公報
【発明の概要】
【発明が解決しようとする課題】
【０００４】  そのために次のような問題があった。
首に掛けたり、帽子、マスクにして使用するとき風や体の動きによってずれたり落ちたりして作業、運動時に不便であった。
本発明は以上の問題点を解決するためになされたものである。
【課題を解決するための手段】
【０００５】  タオルを２枚合わせにして、長手方向１ヵ所は全開し反対側の長手方向は中心に顔が出る大きさを開けて残りと短手方向２ヵ所は閉じ、顔が出る長手方向にゴム紐挿入部を設け、ゴム紐を挿入してゴム紐が抜けないように両端部にクリップを設ける。
以上の構成よりなるゴム紐付き帽子タオル。
【発明の効果】
【０００６】  タオルを２枚合わせにしたことにより、フードにできることになった。
これにより、日除け、防寒、ホコリの防護になる。
頭に巻いて帽子にもなる。
ゴム紐を取り付けたことにより、作業、運動時に、ずれたり落ちないようになった。
以上を特徴とするゴム紐付き帽子タオルである。
【図面の簡単な説明】
【０００７】
【図１】  本発明の斜視図である。
【図２】  本発明の使用状態を示した斜視図である。
【発明を実施するための形態】
【０００８】  以下、本発明の実施の形態について説明する。
（イ）タオル（１）を２枚合わせにしたタオルの長手方向（５）は全開し、反対側の長手方向は中心に顔が出る大きさの開口部（６）を開け、長手方向（７）と短手方向（８）は閉じる。
（ロ）顔が出る開口部（６）と長手方向（７）にゴム紐挿入部（２）を設けゴム紐（３）を挿入しクリップ（４）でゴム紐を留める。
本発明は以上のような構成である。
本発明を使うときは、全開している長手方向（５）に頭からかぶって反対側の長手方向開口部（６）に顔をあてて頭部の後でタオルをゴム紐（３）で結んでフードとして使用する。
また、そのままタオルを頭にゴム紐で結んで帽子にもなる。
【符号の説明】
【０００９】    １  タオル
２  ゴム紐挿入部
３  ゴム紐
４  クリップ
５  長手方向
６  開口部
７  長手方向
８  短手方向
【図１】
2015214780.tif 000003
【図２】
2015214780.tif 000004
(57)【要約】      （修正有）【課題】歌詞などの区切りを参照するデータのない場合や歌詞のないクラシックなどの曲において、携帯端末などで時間の区切りを入力してメールなどの文章をフレーズ毎に音楽と同期表示することができる表示時間データを作成する。【解決手段】メールなどをスポット的に表示して読むために適したパート毎の表示時間帯を設定して、それより短い場合と長い場合の３つに分けて順次画面の色を変えて表示して、一定の色が画面に表示される間にフレーズの切り替わりが来たときに入力できるようにする。【選択図】図１
2015125658.tif 000002
【特許請求の範囲】
【請求項１】
音楽再生と合わせて画面の表示を参照して音楽パート毎にボタン入力して音楽との同期表示時間データを作成する場合において、入力画面にパート毎の区切り入力の開始時からの経過時間を参照用に０秒から順次表示するとともに、メールなどの文章をスポット的に表示して読むのに適した一定の表示時間帯（以下「適切表示時間帯」という。）を設定して、区切り入力の開始時からの経過時間を、適切表示時間帯より短い時間帯、適切表示時間帯、適切表示時間帯より長い時間帯の３つに分けて、３つの時間帯をそれぞれの色（以下「時間帯毎の色」という。）に代替して経過時間に応じて時間帯毎の色を順次変えて同じ入力画面に表示することにより、適切表示時間帯の色が表示される間における音楽フレーズの切り替わりを中心に時間データの区切りを入力する方法
【発明の詳細な説明】
【技術分野】
【０００１】
この発明は、音楽と文章の同期表示システムに関する。
【背景技術】
【０００２】
従来の技術としては、音楽パートの順番、歌詞のテキスト情報、表示時間などをもとにして音楽と歌詞を同期して表示するものがある。（特許文献１）また、音楽の演奏時間を計測して同期表示データを作成する音楽との同期表示システム（特許文献２）がある。
【特許文献１】特開２００５−０７０４７２号公報
【特許文献２】特願２０１０−２１０２９３号公報
【発明の開示】
【発明が解決しようとする課題】
【０００３】
同期表示データ作成のために時間の区切りを入力する際に画面の歌詞などを参照する方法があるが、携帯端末などではパート毎の歌詞データの入力自体が容易でない状況にある。
【０００４】
また、外部より歌詞ファイルの配信を受ける方法もあるが、当該配信のない曲や歌詞を含まない曲などについては画面の歌詞を参照することができない。このため、歌詞などの参照データがない場合に時間データの区切り入力の目安を示して入力できるようにする。
【０００５】
時間の区切りを入力する場合に音楽を聴きながらフレーズ毎に入力するが、その際にパート毎の入力時間を表示して、フレーズ毎の時間があまり長短しないようにしてメールなどの文章が読みやすくなるようにする。
【課題を解決するための手段】
【０００６】
以上の課題を解決するために、音楽再生に合わせて時間データの区切りを入力する際に、同じ画面に参照用としてパート毎に一定秒ごとに区切り入力の開始時の０秒からの経過時間を表示するとともに入力パートのパート番号を表示する。
【０００７】
メールなどの文章をスポット的に表示して読むのに適した表示時間帯を設定して、適切表示時間帯より短い時間帯、適切表示時間帯、適切表示時間帯より長い時間帯の３つに分けてそれぞれを色に代替させて、経過時間に応じて時間帯毎の色を順次変えて表示する。
【０００８】
適切表示時間帯を短く設定すると、その間で行われるフレーズの切り替わりが少なくなるため、適切表示時間帯に幅をもたせ、その間におけるフレーズの切り替わりを中心にした区切りの入力ができるようにする。
【発明の効果】
【０００９】
時間の長さを色で大別することで、適切表示時間帯より短い時間では特に集中せずに、適切表示時間帯の色の表示の間だけ特に集中してフレーズの切り替わりを確認して時間の区切りを入力することができる。
【００１０】
音楽フレーズの切り替わりが適切表示時間帯を超える場合も参照時間を表示することで次のフレーズの切り替わりまで入力を伸ばすかどうかの判断基準を示すことができる。
【発明を実施するための最良の形態】
【００１１】
図１は、表示時間データ作成の入力画面の説明である。
入力画面は、曲名などの音楽情報、適切表示時間帯表示部、経過時間、参照時間、パート番号、時間区切り入力部、前パート等の表示時間、区切り入力終了部などで構成する。
【００１２】
音楽再生と同時に時間を計測して、計測開始からすべてのパートにおいて経過時間を表示するとともに、曲名などの情報や最初のパートのパート番号とともに適切表示時間帯より短い時間帯であることを示すＡ色と１秒間隔でパート毎の参照時間を画面に表示する。
【００１３】
当該パートの経過時間が適切表示時間帯になると、画面表示がＡ色からＢ色に変わり、入力に適した時間であることを示す。その時間帯に音楽フレーズの切り替わりが来るのに合わせて、時間区切り入力部で区切りを入力する。なお、適切表示時間帯を過ぎるとＢ色からＣ色に画面の表示が変わる。
【００１４】
入力すると計測開始から入力までの時間を表示時間データにして画面に表示するとともに新しいパートに変わり、画面の色をＡ色から表示して、当該パートの経過時間が適切表示時間帯になると画面表示がＢ色に変わり同様に入力する。前のパートの区切り入力から入力までの表示時間データとこれまでの平均表示時間を次のパートで画面に表示する。
【００１５】
すべてのパートを入力した後に、区切り入力終了部を入力するとこれまでに入力したパート毎の表示時間をファイルに保存して終了する。
【００１６】
図２は、適切表示時間帯を設定しての区切り入力の説明である。
音楽フレーズの長短に応じて、パート１からパート３まで３つの例を示したものである。パート１は、１つのフレーズの長さが適切表示時間帯の範囲に入る場合で、適切表示時間帯を示す画面のＢ色の時に区切りを入力した例である。
【００１７】
パート２は、フレーズの長さが適切表示時間帯より長い場合に適切表示時間帯に近い画面のＣ色で区切りを入力した例で、パート３は、音楽フレーズの長さが適切表示時間帯より短い場合に最初のフレーズの切り替わりではなく次の切り替わりで入力した例である。
【産業上の利用可能性】
【００１８】
音楽産業、音楽教材、携帯電話、ソーシャルゲームなどで産業上の利用可能性がある。
【図面の簡単な説明】
【００１９】
【図１】この発明における、表示時間データ作成の入力画面の説明図である。
【図２】この発明における、適切表示時間帯を設定しての区切り入力の説明図である。
【図１】
2015125658.tif 000003
【図２】
2015125658.tif 000004
(57)【要約】      （修正有）【課題】ＳＮＳインターネット上の無料ゲーム配信システムで、何回遊んでも無料で、ゲーム運営側は広告収入だけで利益を得るシステムを提供する。【解決手段】低品質低画質のＳＮＳゲーム無料サービスしかない従来のインターネットやワイファイ無線ＬＡＮ端末上に高品質高画質の無料配信ゲームコンテンツを配信することで集客力を高め、ゲーム配信運営側はあくまで広告収入だけで利益を得るシステムをつくる。【選択図】なし【特許請求の範囲】
【請求項１】
従来のインターネット上のＳＮＳゲームのような低品質・低画質のゲームコンテンツばかりでなく、ソニー社のプレイスティションや任天堂社のＷｉｉやマイクロソフト社Ｘ−ＢＯＸやお金を投入して遊ぶような汎用機高画質高品質の色々なゲームコンテンツがいくらでもパーソナルコンピュータやスマートフォンやタブレット端末や携帯電話やネットや無線ネットやワイファイでつながった端末でいくらでも何兆回遊んでもし放題でも無料で、運営側はあくまでアフェリエイトや公告収入だけで収入を得るというインターネット上あるいは端末やゲーム機ネット回線（無回線あり）の利益収入ゲームコンテンツ配信の世界中に発信するインターネット上の高質品質・高画質のゲーム配信（無料）のゲームアプリケーションコンテンツでのビジネスシステムに対する発明である。
【発明の詳細な説明】
【技術の分野】
【０００２】本発明は従来のＳＮＳゲームのような低品質低画質だけの配信サービスではない発明であり、どんなにユーザが遊んでも広告収入だけで無料という、従来とは違う発明である。
【従来技術】
【０００３】従来のゲームアプリケーション配信サービスのＳＮＳゲームは低品質低画品で、なおかつ広告収入だけで運営側がペイするシステムはなかった。
【発明が解決しようとしている課題】
【０００４】従来のインターネットＳＮＳゲーム無料サービスは低品質低画質しかなかった。
【悩みを解消する手段】
【０００５】従来のインターネットＳＮＳゲーム無料サービスで高品質高画質なコンテンツを配信する。
【発明の効果】
【０００６】従来のインターネットＳＮＳゲーム無料サービスは低品質低画質のものしかなかった。
【発明を実施するための形態】
【０００７】従来のインターネットやワイファイ無線ＬＡＮ端末上に高品質高画質の無料配信ゲームコンテンツを配信し、ゲーム配信運営側はあくまで広告収入だけで利益を得るシステムをつくる。
(57)【要約】【課題】  ヒートシンクを取り付けたＬＥＤ器具は水銀灯器具に比べて重量が重いため、器具を設置する天井の強度を強くしなければならない。リニューアルで水銀灯の器具の代わりにＬＥＤ器具を設置するときは、天井の強度を強くするわけにはいかないので、ＬＥＤ器具の重量を軽くし、かつＬＥＤの温度上昇を抑える必要がある。【解決手段】  ＬＥＤ光源の裏面部に平行で複数枚の板状突起部を備えた小形のヒートシンクを取り付け、突起部の上端部が複数個の放熱穴を設けた笠で覆うようにしてデザイン性に優れたＬＥＤ照明器具を提供する。【選択図】図１
2015095445.tif 000002
【特許請求の範囲】
【請求項１】
ＬＥＤ光源の裏面部に複数個の板状突起部を平行に配置したヒートシンクを取付、前記ヒートシンクの突起部上端部を複数個の放熱穴を設けた笠で覆ってなるＬＥＤ照明器具。
【発明の詳細な説明】
【技術分野】
【０００１】  本発明は、ＬＥＤを光源とする照明器具に関するものである。
【背景技術】
【０００２】  従来、照明器具の光源として白熱球や蛍光灯、水銀灯などが用いられてきたが、省電力の見地からＬＥＤを光源とする照明器具が採用されるようになってきた。【０００３】  このＬＥＤは、水銀灯などの代わりに使用されるときは高照度が要求されるため、高出力にする必要がある。そのためＬＥＤの出力は１００Ｗ以上の電力になりＬＥＤの発熱が高くなる。ＬＥＤの発熱を抑える手段としてヒートシンクをＬＥＤの裏面に取り付けていた。また、美観を高めるためヒートシンクを笠などで覆って使用するときは、大型の高容量のヒートシンクを使用していた。
【発明の開示】
【発明が解決しようとする課題】
【０００４】  しかし、ヒートシンクを取り付けたＬＥＤ器具は水銀灯器具に比べて重量が重いため、器具を設置する天井の強度を強くしなければならない。リニューアルで水銀灯の器具の代わりにＬＥＤ器具を設置するときは、天井の強度を強くするわけにはいかないので、ＬＥＤ器具の重量を軽くし、かつＬＥＤの温度上昇を抑える必要がある。
【課題を解決するための手段】
【０００５】  前記問題点を解決するため、本発明はＬＥＤ光源の裏面部に平行に複数枚の板状突起部を備えた小形のヒートシンクを取り付け、板状突起部の上端部が複数個の放熱穴を設けた笠で覆われるようにした。
【発明の効果】
【０００６】  本発明によれば、外気が、高温になったヒートシンクの平行な複数枚の板状突起部の間に流れ込み、暖かい空気は笠に設けられた複数個の放熱穴より抜けていくため、高温になったヒートシンクの温度は低下し、結果としてＬＥＤの温度が低下する。このためヒートシンクは小型化でき、器具の軽量化がはかれる。【０００７】  また、ヒートシンクの上面は笠で覆われているため美観に優れた構造を提供できる。
【発明を実施するための最良の形態】
【０００８】  以下、図面に基づき本発明の実施の形態を説明する。【０００９】  図１は、本発明の一実施例を示すＬＥＤ照明器具の斜視図である。
図２は、本発明のヒートシンクの一実施例を示すの斜視図である。【００１０】  このＬＥＤ照明器具は、ＬＥＤ収納部１に複数のＬＥＤ２が取り付けられ、ＬＥＤ収納部１の背面には複数の板状突起部３が平行に配置されたヒートシンク４が取り付けられている。ヒートシンク４の上部には、器具の美観を良くする笠５が取り付けられ、ヒートシンク４の突起部３の上面を覆っている。この笠５には複数の放熱穴６が笠５の上面に設けられているが、放熱穴の位置は笠５の側面でも良い。【００１１】  ＬＥＤ器具が点灯するとＬＥＤ２の温度が上昇し、その温度はヒートシンク４に伝達され、ヒートシンク４の温度が上昇する。ヒートシンク４は外気より高温になるため、空気の対流により外気はヒートシンク４の板状突起部間に流れ込み、ヒートシンク４の温度は外気で低下し、内部の熱い空気は放熱穴６を通して器具外部に放出される。【００１２】  ＬＥＤの温度上昇試験を行ったところ、笠５に放熱穴６を設けないとＬＥＤの温度は１５Ｋ上昇する。また、笠５に放熱穴６を設けず、本発明品とＬＥＤの温度上昇を同一にするには、ヒートシンク４の大きさを１．５倍にしなければならない。美観を良くする笠５を取り付けて、笠５に放熱穴６を設けることでヒートシンクを小型化し、照明器具の重量を軽量化できる。
【図面の簡単な説明】
【００１３】
【図１】本発明の一実施例を示すＬＥＤ照明器具の斜視図。
【図２】本発明のヒートシンク一実施例を示す斜視図。
【符号の説明】
【００１４】  １・・・ＬＥＤ収納部          ２・・・ＬＥＤ
３・・・ヒートシンクの板状突起部
４・・・ヒートシンク
５・・・笠
６・・・笠の放熱穴
【図１】
2015095445.tif 000003
【図２】
2015095445.tif 000004
(57)【要約】      （修正有）【課題】フォトトランジスタから出力された信号を波形短縮することにより、消費電力が削減され、成形された高感度のワンパルス出力を得る。【解決手段】負極６に接続された抵抗１を、正極９に接続されたスイッチ３と直列に接続し、抵抗５とスイッチ３の出力である接続点５をコンデンサ４に接続し、コンデンサ４と負極６に接続された抵抗８との接続点７を電力発生装置２に接続した構成により、導線１１にワンパルスを出力する。【選択図】図１
2015095893.tif 000002
【特許請求の範囲】
【請求項１】
１．片方が負極（６）に繋がれた抵抗（１）を、２．片方が正極（９）に繋がれた通電の為のスイッチ（３）に、３．直列に繋ぎ、４．この繋がれたところ（５）から、５．繋いだ通電用の導線を、６．コンデンサー（４）に繋ぎ、７．この繋がれたコンデンサー（４）の片方は、８．片方が負極（６）と繋がった抵抗（８）と繋がっている。９．そして、コンデンサー（４）と抵抗（８）との間（７）から出た通電線は、１０．負極（６）を同じくする電力増幅装置（２）に接続され、１１．その電力増幅装置（２）からは別の通電線（１１）が出ている、１２．その様な装置（図１）。
【請求項２】
１．低圧から任意の一定値の高圧になる信号（１０）が入力される導線を、２．片方が負極（６）に繋がれた抵抗（１）に繋ぎ（５）、３．この繋がれたところ（５）から、４．繋いだ通電用の導線を、５．コンデンサー（４）に繋ぎ、６．この繋がれたコンデンサー（４）の片方は、７．片方が負極（６）と繋がった抵抗（８）と繋がっている。８．そして、コンデンサー（４）と抵抗（８）との間（７）から出た通電線は、９．負極（６）を同じくする電力増幅装置（２）に接続され、１０．その電力増幅装置（２）からは別の通電線（１１）が出ている、１１．その様な装置（図２）。
【発明の詳細な説明】
【技術分野】
【０００１】  本発明は、電子電気機器を制御するための技術の一部に属する。
【背景技術】
【０００２】  従来は、実用新案登録（３０７９９２１号）の考案の名称「開閉を伴う物の開閉カウンター」の中心的な技術であるカウントする為に演算ＣＰＵへ演算を行うためのパルスを発生する装置などに使用されている。【０００３】  また、発振装置から一瞬のパルスを取り出すサイリスタＳＣＲの回路装置や、ＩＣ化されたユニットの端子に抵抗とコンデンサーを繋ぎその値を変えることによりパルス幅を変化させたりすることが出来る一つのパルスを発生させるＩＣ製品があるが、発振器のいるサイリスタＳＣＲの回路が内臓されたＩＣかもしれないし、発振器は、電磁波を絶えず発するので好ましくなく、ＩＣなので、主要なところが静電気で破壊され易い。【０００４】  また、デジタル写真機のシャッターのスピードの様な、機構もよく似た技術に属する。【０００５】  このことは、簡単にマイクロ単位の一定の電圧を発生させることができるとは、素材の特性を詳細に把握でき、詳細な素材開発の前に目安として素材特性を把握できることに力を発揮できることを物語っている。【０００６】  また、機械的特性を調べることも同様に、詳細な機械特性の把握の前に目安として特性を把握することにも力を発揮できる。
【発明の開示】
【発明が解決しようとする課題】
【０００７】  本発明は、簡単な構造でひとつのパルスを発生させる発明をさらに発展させ、利用するための機構を提供することである。【０００８】  そこで、パルスを提供するのではなく、パルスを発生させるセンサーと接続させてみた。
【課題を解決するための手段】
【０００９】  本発明の達成には、実用新案登録（３０７９９２１号）の考案の名称「開閉を伴う物の開閉カウンター」の中心的な技術である、開閉をカウントする為に演算ＣＰＵへ演算を行うためのパルスを発生する装置で開発した、ワンパルス発生装置の延長線上に本発明があることを認識し、コンデンサーの放電、または、充電が完了することで、電圧の変化が得られることを利用した技術を確立し、その充電、または、放電が完了する僅かな時間を検出し、トランジスターへの接続を可能し、各構成要素の耐圧化を検討し、目的を達成して来た。【００１０】  その結果、チャタリングのない信号は、積分回路に繋げ、増幅成形してやることで、ひとつのパルスを取り出せる（特願２０１２−２４９７０３）ことに到達した（請求項２）。【００１１】  これらのことは、今日のように集積回路が使われるようになった昨今では、知られていてもあまり使われることのない世界のものであり、製品への転化となると、よく見かけるＬＳＩ製のカウンターでも、感度が遅く感じられ、製品の相性が合わないと、全く、カウントしない。【００１２】  そのようなときに、この製品で、パルス幅を変えて、入力してやると、適正な値を知ることができる（請求項１）。
【発明の効果】
【００１３】  本発明は、フォトトランジスター（製品品番Ｌ−３１ＲＯＰＴ１Ｃ）から送られる信号を、成形短縮（消費電力の削減）して、成形されたパルスを発生させ、回転数を得ることに成功した。
【発明を実施するための最良の形態】
【００１４】  本発明（請求項１）の昇降特性（何マイクロである値まで昇降するか）を把握することで、何ボルトで対象製品が感知するか、入力から何マイクロ秒で、対象製品が感知するかを、知ることがでる。【００１５】  モーターなどに穴の開いた円盤などを取り付け、その穴からフォトトランジスターに光線が当たるようにしておけば、本発明（請求項２）が、フォトトランジスターに光の当たった回数を感知し、その結果、回転数などを得ることができ、フォトトランジスターを小型化すれば、小型の製品にも応用が利くと考えられる。
【実施例】
【００１６】  図１、図２、は、発明の全体図である。【００１７】  図３は、導線（１１）から得られる、電圧とその昇降時間の図。
【産業上の利用可能性】
【００１８】  本発明は、単純な構造のワンパルス発生スイッチを使い各種の検査（請求項１）を、また、単純な構造のワンパルス発生で毎秒数千回転のカウントが可能（請求項２）で、各種撹はん機や回転するものの回転数などの確定や性能試験に使用できる。
【図面の簡単な説明】
【００１９】
【図１】  発明の全体図。
【００２０】
【図２】  発明の全体図。
【００２１】
【図３】  導線（１１）から得られる、電圧（Ｖ）とその昇降時間（μｓ）の絵図（１６Ｖの加圧の場合、０Ｖから１６Ｖになるまでの時間は４μｓ）。
【符号の説明】
【００２２】            １．抵抗
２．電力発生装置
３．スイッチ
４．コンデンサー
５．接続点
６．負極
７．接続点
８．抵抗（可変抵抗でも可）
９．正極
１０．入力パルスの形の絵図
１１．導線
１２．昇降特性ライン
【図１】
2015095893.tif 000003
【図２】
2015095893.tif 000004
【図３】
2015095893.tif 000005